(57)【要約】【課題】ベース板の背面に設けられたスペーサを、当該ベース板に設けられた一般入賞口の位置が変更されても共用化することのできる遊技機を提供する。【解決手段】遊技球が入球する一般入賞口１１が遊技領域に設けられたベース板２と、ベース板２の背面に設けられたスペーサ１０と、ベース板２に開設され、一般入賞口１１に入賞した遊技球をベース板２の背面側へ誘導する誘導通路２５と、ベース板２とスペーサ１０とによって形成され、誘導通路２５に誘導された遊技球が落下する入賞球落下空間２７と、スペーサ１０に設けられ、入賞球落下空間２７に落下した遊技球を上面で受けて排出通路１０３へ案内する入賞球案内部１０２と、スペーサ１０に設けられて入賞球案内部１０２の後側に立設され、入賞球落下空間２７を落下する遊技球の後側への落下を防止する落下防止壁１０８とを有する遊技盤を備える。【選択図】図２０
2008006027.tif 000002
【特許請求の範囲】
【請求項１】
遊技球が転動流下する遊技領域が形成されるとともに、遊技球が入球する入賞口が前記遊技領域に設けられたベース板と、
前記ベース板の背面に設けられた取付部材と、
前記ベース板に開設され、前記入賞口に入賞した遊技球を前記ベース板の背面側へ誘導する誘導通路と、
前記ベース板と前記取付部材とによって形成され、前記誘導通路に誘導された遊技球が落下する入賞球落下空間と、
前記取付部材に設けられ、前記入賞球落下空間に落下した遊技球を上面で受けて所定の排出通路へ案内する入賞球案内部と、
前記取付部材に設けられて前記入賞球案内部の後側に立設され、前記入賞球落下空間を落下する遊技球の後側への落下を防止する落下防止壁と、
を有する遊技盤を備えたことを特徴とする遊技機。
【請求項２】
前記排出通路には、前記入賞口へ入賞した遊技球を検出する入賞検出手段を備えた、
ことを特徴とする請求項１記載の遊技機。
【請求項３】
前記取付部材は、前記ベース板に対して着脱自在とした、
ことを特徴とする請求項１または２記載の遊技機。
【請求項４】
前記排出通路の入口には、所定の一方向からの遊技球の進入を許容するとともに当該一方向以外からの遊技球の進入を阻止する進入阻止部を有する
ことを特徴とする請求項１〜３の何れか一項に記載の遊技機。
【請求項５】
前記進入阻止部は、前記取付部材と一体に設けられている
ことを特徴とする請求項４記載の遊技機。
【発明の詳細な説明】
【技術分野】
【０００１】
本発明は遊技機に関し、特に遊技媒体として遊技球が用いられる弾球遊技機に関するものである。
【背景技術】
【０００２】
従来では、例えば特許文献１に記載のように、遊技盤を構成するベース板（つまり、遊技盤において、入賞口等の遊技部品が取り付けられた部材）の裏面にスペーサ（取付部材）を設けてベース板と表示装置との間隔を所定距離に保つようにした遊技機が知られている。
【０００３】
このような遊技機によれば、表示装置の動作に伴って発生する熱が多量にベース板に設置された遊技部品（例えば、遊技機の動作に関係する部品）などに伝わってしまう事態が防止され、表示装置から発生する熱による遊技機の故障が防止される。
【特許文献１】特開２００５−１３１３２４号公報
【発明の開示】
【発明が解決しようとする課題】
【０００４】
しかしながら、特許文献１に記載の遊技機におけるスペーサでは、ベース板に設けられた入賞口の位置に対応した位置に入賞球通路が形成されているため、ベース板の変更により入賞口の位置が変更されると、スペーサもこれに合わせて設計変更をする必要がある。
【０００５】
したがって、ベース板の汎用性に乏しく、製造コストがかかってしまうことになる。
【０００６】
そこで、本発明は、ベース板の背面に設けられた取付部材を、当該ベース板に設けられた入賞口の位置が変更されても共用化することのできる遊技機を提供することを目的とする。
【課題を解決するための手段】
【０００７】
上記課題を解決するため、請求項１に記載の本発明の遊技機は、遊技球が転動流下する遊技領域が形成されるとともに、遊技球が入球する入賞口が前記遊技領域に設けられたベース板と、前記ベース板の背面に設けられた取付部材と、前記ベース板に開設され、前記入賞口に入賞した遊技球を前記ベース板の背面側へ誘導する誘導通路と、前記ベース板と前記取付部材とによって形成され、前記誘導通路に誘導された遊技球が落下する入賞球落下空間と、前記取付部材に設けられ、前記入賞球落下空間に落下した遊技球を上面で受けて所定の排出通路へ案内する入賞球案内部と、前記取付部材に設けられて前記入賞球案内部の後側に立設され、前記入賞球落下空間を落下する遊技球の後側への落下を防止する落下防止壁と、を有する遊技盤を備えたことを特徴とする。
【０００８】
これにより、入賞口へ入球した遊技球は誘導通路を通った後に入賞球落下空間を落下して、落下防止壁により後方へ溢出することなく入賞球案内部の上面に到達し、当該上面を転動して排出通路へ案内されるので、ベース板における入賞口の位置が変更されても、ベース板のみを設計変更すればよく、取付部材を改めて設計する必要がない。したがって、ベース板に形成された入賞口の位置が変更されても取付部材を共用化することが可能になり、製造コストの上昇を抑制することができる。
【０００９】
請求項２に記載の本発明は、請求項１記載の発明の構成に加えて、前記排出通路には、前記入賞口へ入賞した遊技球を検出する入賞検出手段を備えたことを特徴とする。
【００１０】
これにより、入賞口の位置を変更しても、入賞検出手段の配置を変更することが不要となるので、製造コストの上昇を抑制することができる。
【００１１】
請求項３に記載の本発明は、請求項１または２記載の発明の構成に加えて、前記取付部材は、前記ベース板に対して着脱自在としたことを特徴とする。
【００１２】
これにより、遊技盤を交換する際に、取付部材を残しつつベース板のみの交換が容易となるので、製造コストの上昇を抑制することができる。
【００１３】
請求項４に記載の本発明は、請求項１〜３の何れか一項に記載の発明の構成に加えて、前記排出通路の入口には、所定の一方向からの遊技球の進入を許容するとともに当該一方向以外からの遊技球の進入を阻止する進入阻止部を有することを特徴とする。
【００１４】
これにより、排出通路には一方向からしか遊技球が進入しなくなるので、遊技球が複数方向から排出通路に進入しようとすることに起因する通路入口での球詰まりを未然に防止することができる。
【００１５】
請求項５に記載の本発明は、請求項４記載の発明の構成に加えて、前記進入阻止部は、前記取付部材と一体に設けられていることを特徴とする。
【００１６】
これにより、進入阻止部を取付部材と別体に設けた場合に比べて部品点数の削減が図れるので、製造コストの上昇を抑制することができる。
【発明の効果】
【００１７】
本発明によれば以下の効果を奏することができる。
【００１８】
すなわち、本発明によれば、ベース板に形成された入賞口の位置が変更されても取付部材を共用化することが可能になり、製造コストの上昇を抑制することができる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態に係る遊技機を示す斜視図、図２は図１に示した遊技機の分解斜視図、図３はベース板の背面側にスペーサが配設された遊技盤を示す斜視図、図４はベース板の背面側にスペーサが配設された遊技盤を示す正面図、図５は図３に示す遊技盤において電動役物構成部材を取り除いた状態を示す説明図、図６は図４に示す遊技盤において電動役物構成部材を取り除いた状態を示す説明図、図７は図４に示す遊技盤を背面側から見た説明図、図８は本実施の形態に係るスペーサを示す斜視図、図９は図８に示すスペーサを背面側から見た説明図、図１０は本実施の形態に係る装飾ユニットを示す斜視図、図１１は本実施の形態に係るスペーサの構成要素であるカバー体を示す斜視図、図１２は図１１のカバー体の右部を拡大して示す斜視図、図１３は図１２のカバー体をスペーサ本体に取り付けた状態を示す斜視図、図１４は図１３のスペーサ本体に右装飾カバーを取り付けた状態を示す斜視図、図１５は図１１のカバー体の左部を拡大して示す斜視図、図１６は図１５のカバー体をスペーサ本体に取り付けた状態を示す斜視図、図１７は図１６のスペーサ本体に左装飾カバーを取り付けた状態を示す斜視図、図１８はベース板とスペーサとが取り付けられた状態において落下防止壁を省略して示す右側背面斜視図、図１９はベース板とスペーサとが取り付けられた状態において落下防止壁を省略して示す左側背面斜視図、図２０は図４のＡ−Ａ線に沿った要部断面図、図２１は図４のＢ−Ｂ線に沿った要部断面図である。
【００２１】
図１および図２に示すように、パチンコ遊技機（遊技機）１は、ベース板２が装着されるとともに、前面に開口３ａａが形成された本体枠３ａと、その本体枠３ａにおける開口３ａａの内部に配設される各種の部品と、ベース板２の前面側を視認可能に被うガラス板４ａが嵌め込まれたガラス扉４と、本体枠３ａの後方に配置され、島設備に固定される外枠３ｂとから構成されている。
【００２２】
なお、本体枠３ａは、その一方端が、ヒンジ（図示せず）を介して外枠３ｂに回動可能に取り付けられるようになっており、これら本体枠３ａおよび外枠３ｂで遊技機本体３が構成されている。そして、このような遊技機本体３の本体枠３ａの前面には、スピーカ８ａ，８ｂ、上述したガラス扉４、皿ユニット５、および発射ハンドル７が配設されている。
【００２３】
これらガラス扉４および皿ユニット５は、その一端が遊技機本体３に回動可能に軸支されており、他端が遊技機本体３に係合するようになっている。これにより、通常、ガラス扉４はベース板２の前面（主面）に対面閉鎖した状態で遊技が行われる。
【００２４】
本体枠３ａの開口３ａａの内部には、後述するように、演出画像（例えば、遊技状態に対応したアニメーションやその他の報知情報など）等を表示可能な表示領域２１ａを有する液晶表示装置２１、スペーサ（取付部材）１０、ベース板２等が配設されている。そして、スペーサ１０とベース板２とで遊技盤が構成されている。
【００２５】
なお、ベース板２、スペーサ１０、液晶表示装置２１以外の各種の部品（図示せず）については、理解を容易にするために説明を省略する。
【００２６】
ベース板２は、光を透過する透光性を有する板形状の樹脂（透光性を有する部材）によって形成されている。この透光性を有する部材としては、例えば、アクリル樹脂、ポリカーボネート樹脂、メタクリル樹脂など各種の材質が該当する。また、ベース板２は、ガラス扉４におけるガラス板４ａと対向する主面側に、発射された遊技球の転勤流下が可能な遊技領域２ａを有している。この遊技領域２ａは、レール６に囲まれ、遊技球の転勤流下が可能な領域である。
【００２７】
遊技領域２ａは、図２乃至図４に示すように、レール６に包囲されており、多数の遊技くぎや風車などの障害物（図示せず）や、一般入賞口（入賞口）１１、大入賞口１３、アウト口１４、通過ゲート１５、ワープ口１６、始動口１２および普通電動役物１７を有する電動役物構成部材１８などの遊技部材が配置されている。
【００２８】
また、一般入賞口１１、大入賞口１３、アウト口１４、始動口１２および普通電動役物１７に対応して、これらに入球した遊技球をベース板２の背面側に誘導する誘導通路２５（図１８〜図２１）が、ベース板２を貫通して開設されている。
【００２９】
スペーサ１０は、ベース板２の後方（背面側）で、且つ液晶表示装置（表示装置）２１の前方（前面側）に配設されている。つまり、スペーサ１０は、ベース板２と液晶表示装置２１との間に介在される。したがって、一般入賞口１１、大入賞口１３、アウト口１４、始動口１２および普通電動役物１７に入球して誘導通路２５に到達した遊技球は、ベース板２の背面側まで誘導されると、ベース板２とスペーサ１０とで形成される空間である入賞球落下空間２７（図２０，図２１）を落下する。
【００３０】
スペーサ１０は中央に大きな貫通孔１０ａが設けられている。そして、スペーサ１０は、貫通孔１０ａに、装飾ＬＥＤ（発光体）６５ｂおよびＬＥＤ基板６５ｃを覆う装飾カバー（カバー部材）６５ａを含む装飾ユニット（装飾部材）６５、遊技に関する所定の情報を報知する電飾ユニット２６等が納められるような厚みを有している。
【００３１】
また、スペーサ１０の背面には、上述した液晶表示装置２１が配置されている。なお、液晶表示装置２１の表示領域２１ａは、所定の演出画像（例えば、装飾図柄が変動表示する演出画像等）を表示する領域である。
【００３２】
また、ベース板２が透光性を有した部材で形成された本実施の形態では、液晶表示装置２１の表示領域２１ａがベース板２およびスペーサ１０の貫通孔１０ａを通して視認可能に配置されている。ここで、液晶表示装置２１にかえて、例えばＣＲＴ（陰極線管）あるいはプラズマディスプレイ等を用いることもできる。
【００３３】
さらに、本実施の形態では、ベース板２が透光性を有しているため、ベース板２の前面からは、スペーサ１０に配置された部材（例えば、装飾ユニット６５等）を視認可能である（図３乃至図６参照）。
【００３４】
ここで、一般入賞口１１は、遊技球が入賞すると所定の数の遊技球が払い戻される装置、通過ゲート１５は、遊技球が通過したことを契機として、図柄表示装置２１２における普通図柄を変動および停止させるための装置、大入賞口１３は、図柄表示装置２１２における特別図柄や液晶表示装置２１における装飾図柄が、それぞれ予め設定された態様で停止し、そして、これに伴い特別遊技状態に移行した場合に開放状態となる装置である。
【００３５】
ワープ口１６は、流入した遊技球を、ベース板２の背面側に配置されているワープ球通路１６ａへと導く装置である。
【００３６】
ワープ球通路１６ａに導かれた遊技球は、ワープ球通路１６ａを転動流下し、始動口１２の上方に位置するワープ出口１６ｂから排出される。つまり、ワープ口１６に流入した遊技球は、ワープ球通路１６ａによって始動口１２へと案内される。また、本実施の形態のワープ出口１６ｂの位置は、遊技領域２ａのほぼ中央である。
【００３７】
ここで、ワープ球通路１６ａは、ベース板２の背面側において、透光性を有するベース板２の前方から視認可能に配置されている（図２、図３および図５参照）。また、当該ワープ球通路１６ａは、少なくとも一部が透光性を有している。
【００３８】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、図柄表示装置２１２における普通図柄が、「当り」を意味する態様で停止した場合）に、所定時間（例えば、０．３秒間）だけ開いて遊技球を受け入れ易い状態に切り換えられる。
【００３９】
また、始動口１２および上記普通電動役物１７の受け入れ口１７ａは、遊技球が入賞すると図柄表示装置２１２における特別図柄や、液晶表示装置２１における装飾図柄が、それぞれ変動および停止する契機となる装置である。さらに、始動口１２や受け入れ口１７ａに遊技球が入賞すると所定の数の遊技球が払い戻されるようになっている。
【００４０】
アウト口１４は、遊技領域２ａの最下位置付近に設けられ、当該最下位置付近に流下してきた遊技球が入球するようになっている。
【００４１】
すなわち、アウト口１４は、一般入賞口１１、大入賞口１３、始動口１２、普通電動役物１７の受け入れ口１７ａの何れにも入賞しなかった遊技球が流入して回収される装置である。
【００４２】
ガラス扉４の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００４３】
下皿５ｂの右側には、レール６を介して遊技領域２ａへ遊技球を発射する際に回動操作される発射ハンドル７が設けられている。発射ハンドル７には遊技球の発射を停止するストップボタン（図示せず）が設けられている。
【００４４】
そして、遊技者が上記発射ハンドル７を回動して打ち出し操作をすることにより、上皿５ａ中の遊技球が、発射球供給装置（図示せず）により本体枠３ａの背面に配設された発射装置（図示せず）に供給されて、当該発射装置によりレール６に沿って遊技領域２ａに発射される。
【００４５】
ここで、スペーサ１０における貫通孔１０ａの下方中央に配設された装飾ユニット６５は、図１０に示すように、装飾カバー６５ａを有している。この装飾カバー６５ａは、図８に示すように、カバー体１００に設けられた発光体である装飾ＬＥＤ６５ｂと、当該装飾ＬＥＤ６５ｂを発光させるＬＥＤ基板６５ｃとを覆っている。
【００４６】
透光性を有する装飾カバー６５ａの中央には、前述した電動役物構成部材１８の背面側が差し込まれる貫通孔６５ａａが形成されており、貫通孔６５ａａの上方には、当該貫通孔６５ａａに差し込まれる電動役物構成部材１８と嵌合する凸部６５ａｄが設けられている。そして、貫通孔６５ａａに差し込まれる電動役物構成部材１８は、この凸部６５ａｄと嵌合することによって、装飾ユニット６５の前方に、より確実に固定される。
【００４７】
次に、ベース板２と液晶表示装置２１との間に配設されたスペーサ１０について説明する。
【００４８】
スペーサ１０は、カバー体１００（図１１，図１２，図１５）と、このカバー体１００を覆うようにしてその前面に取り付けられるスペーサ本体（図１３，図１６）２００とを有している。そして、図１４および図１７に示すように、スペーサ本体２００の右側には右装飾カバー２０１が、左側には左装飾カバー２０２がそれぞれ取り付けられている。
【００４９】
図１１に示すように、カバー体１００には、装飾ＬＥＤ６５ｂが実装されたＬＥＤ基板６５ｃが取り付けられる基板取付部１０１がその中央に形成されている。さらに、図１１、図１２および図１５に示すように、カバー体１００には、一般入賞口１１に入球して誘導通路２５からベース板２の背面側に誘導された後に入賞球落下空間２７を落下した遊技球を上面で受ける入賞球案内部１０２、および入賞球案内部１０２に案内された遊技球が進入する排出通路１０３が形成されている。
【００５０】
ここで、入賞球案内部１０２は基板取付部１０１の両側において横方向に延びて形成されており、中央に向けて高さが低くなるように水平面と斜面とが交互に組み合わされた段差形状（本実施の形態では、３段の段差形状）になっている。水平面は中央に向けて僅かに下方に傾斜しており、斜面はこのような水平面と所定の角度をもって連続するとともに中央に向けて大きく下方に傾斜している。そして、入賞球案内部１０２の中央寄り端部で且つ始動口１２の左右近傍の２カ所に、排出通路１０３が、その入口を上方に開口して形成されている。したがって、入賞球落下空間２７から入賞球案内部１０２に落下した遊技球は、落下位置にかかわらず、当該入賞球案内部１０２を転動して中央へと誘導され、排出通路１０３へ進入する。
【００５１】
排出通路１０３は、カバー体１００にスペーサ本体２００が取り付けられることによって閉塞された空間によって構成され、遊技球が自重落下可能なように、略上下方向に沿って形成されている。入賞球案内部１０２と連続した排出通路１０３の入口には前方に突出した段差部１０３ａが形成されており、排出通路１０３は当該段差部１０３ａをきっかけにして、入賞球案内部１０２よりもやや前方（つまりベース板２側）に位置している。
【００５２】
なお、段差部１０３ａの直上には、入賞球案内部１０２から段差部１０３ａを介してやや前方に位置する排出通路１０３にスムーズに遊技球を案内するためのガイド片１０６が、前後方向に湾曲した形状で設けられている。
【００５３】
排出通路１０３には、遊技球が通過したことを磁気的に検出する入賞口検出スイッチ（入賞検出手段）１０４がそれぞれ配置されている。排出通路１０３は、一般入賞口１１に入球した遊技球が誘導通路２５、入賞球落下空間２７および入賞球案内部１０２を通って進入することから、当該入賞口検出スイッチ１０４を遊技球が通過することにより、一般入賞口１１への遊技球の入賞が検知される。
【００５４】
図１２に示すように、向かって右側の排出通路１０３の入口には、所定の一方向（本実施の形態では、入賞球案内部１０２を案内されて中央へ向かう方向）からの遊技球の進入を許容するとともに、この一方向以外からの遊技球の進入を阻止する進入阻止部１０７が、カバー体１００と一体形成されている。
【００５５】
このような進入阻止部１０７により、入賞球案内部１０２を案内されて中央へ向かう方向の遊技球は排出通路１０３に進入できる。しかしながら、例えば誘導通路２５から入賞球落下空間２７を落下して直接排出通路１０３に進入しようとする遊技球や、入賞球案内部１０２を案内されて中央へ向かう遊技球の上に乗った遊技球（入賞球案内部１０２を案内されて中央へ向かう遊技球が連続している場合を想定）は、進入阻止部１０７により排出通路１０３への進入が阻止される。
【００５６】
このように、進入阻止部１０７により排出通路１０３には一方向からしか遊技球が進入しなくなって排出通路１０３へ案内される遊技球の球圧が一定方向にかかるので、遊技球が複数方向から排出通路１０３に進入しようとすることに起因する通路入口での球詰まりが未然に防止される。
【００５７】
ここで、本実施の形態において、進入阻止部１０７はスペーサ１０の構成要素であるカバー体１００と一体に設けられているが、別体に設けられていてもよい。但し、進入阻止部１０７をカバー体１００と一体に設けるようにすれば、これを別体に設けた場合に比べて部品点数の削減が図れることから、製造コストの上昇を抑制することができる。
【００５８】
なお、カバー体１００の向かって右端部には、図示しない第２始動口へ受け入れられた遊技球をカバー体１００の中央寄り下端へと誘導するための排出通路１０５が形成されている。
【００５９】
入賞球案内部１０２の後側には、一般入賞口１１に入球して誘導通路２５を通り入賞球落下空間２７を落下する遊技球の後側への落下を防止する落下防止壁１０８が立設されている。この落下防止壁１０８の高さは任意で設定可能であるが、当該落下防止壁１０８は一般入賞口１１に対応した誘導通路２５に誘導されてベース板２の裏面から落下する遊技球がスペーサ１０の後側へ落下することを防止する機能であるため、当該誘導通路２５と略同位置となる高さ以上とするのが好ましい。また、前述のように、本実施の形態では、ベース板２が透光性を有した部材で形成された、液晶表示装置２１の表示領域２１ａがベース板２およびスペーサ１０の貫通孔１０ａを通して視認可能に配置されていることから、落下防止壁１０８の高さは、表示領域２１ａに表示される画像の視認を妨げない高さにするのが好ましい。
【００６０】
カバー体１００の前面に取り付けられるスペーサ本体２００には、その後部に、入賞球案内部１０２を転動する遊技球の前方への落下を防止する区画壁２００ａが、入賞球案内部１０２に対して所定の高さで、且つ中央に向かって高さが低くなるようにして落下防止壁１０８と略平行に立設されている。
【００６１】
そして、区画壁２００ａの前面には、その右側端部（図１３）および左側端部（図１６）に、発光体である装飾ＬＥＤ２１０と、この装飾ＬＥＤ２１０が実装されたＬＥＤ基板２１１とが配置されている。そして、右側端部には、装飾ＬＥＤ２１０およびＬＥＤ基板２１１を覆う透光性の右装飾カバー２０１が、左側端部には、装飾ＬＥＤ２１０およびＬＥＤ基板２１１を覆う透光性の左装飾カバー２０２が、それぞれ区画壁２００ａの上辺に沿うようにして取り付けられている（図１４および図１７参照）。したがって、ＬＥＤ基板２１１に実装された装飾ＬＥＤ２１０が発光されると、当該発光が右装飾カバー２０１、左装飾カバー２０２を介して視認される。なお、図１６に示すように、左側端部に配置されたＬＥＤ基板２１１の近傍には、特別図柄等を表示するための図柄表示装置２１２が取り付けられている。
【００６２】
なお、右装飾カバー２０１および左装飾カバー２０２は、入賞球案内部１０２よりも高さが高く、且つ中央に向かって低くなった区画壁２００ａの上辺に沿った形状となっていることから、図１８および図１９に示すように、右装飾カバー２０１および左装飾カバー２０２の上面は入賞球案内部１０２の上面よりも高く、且つ中央に向かって低くなっている。したがって、誘導通路２５を通り入賞球落下空間２７を落下した遊技球がこれら装飾カバー２０１，２０２の上面に落下したならば、直ちに入賞球案内部１０２に再落下するか、あるいは、入賞球案内部１０２に落下した場合と同様に、中央に向けて排出通路１０３へと誘導される。
【００６３】
スペーサ本体２００の中央には、大入賞口１３に入球した遊技球が通過する通過孔２２０およびアウト口１４に入った遊技球が通過する通過孔２２１が上下に並んで形成されており、カバー体１００の基板取付部１０１に取り付けられた装飾ユニット６５は、通過孔２２０の上方に位置している。
【００６４】
なお、通過孔２２０，２２１の背面側は遊技球の排出通路となっており、さらに、始動口１２の左右近傍の２カ所に形成された前述の排出通路１０３は当該排出通路に合流している。したがって、始動口１２、大入賞口１３、普通電動役物１７およびアウト口１４に入球した遊技球、ならびに一般入賞口１１に入球した遊技球は、この排出通路を落下して機外へ排出される。
【００６５】
スペーサ本体２００における前面側の右端下部および左端下部には、それぞれネジ穴２０８、ネジ穴２０９が形成されている。そして、このネジ穴２０８，２０９を介してスペーサ１０をベース板２にネジ固定することにより、スペーサ１０はベース板２に着脱自在に取り付けられる。そして、スペーサ１０をベース板２に着脱自在に取り付けるようにすれば、遊技盤を交換する際に、スペーサ１０を残しつつベース板２のみの交換が容易となるので、製造コストの上昇を抑制することができる。
【００６６】
以上のような構成の遊技機によれば、図２０および図２１において、一般入賞口１１に入球して誘導通路２５に到達した遊技球は、ベース板２の背面側に誘導された後に入賞球落下空間２７を落下して入賞球案内部１０２の上面に到達する。前述のように、入賞球案内部１０２は中央に向けて傾斜しており、入賞球案内部１０２の後側には落下防止壁１０８が立設されていることから、遊技球は入賞球案内部１０２の上面を転動して中央へと導かれ、始動口１２の左右に設けられた排出通路１０３へと進入して当該排出通路１０３を通過した後、機外へと排出される。そして、排出通路１０３を落下するときに入賞口検出スイッチ１０４を通過することにより一般入賞口１１への入賞が検知される。
【００６７】
なお、図２０および図２１においては、図面の煩雑さを回避して理解を容易にするために、要部のみを抽出して示している。
【００６８】
このように、本実施の形態の遊技機によれば、一般入賞口１１へ入球した遊技球は誘導通路２５を通った後に入賞球落下空間２７を落下して、落下防止壁１０８により後方へ溢出することなく入賞球案内部１０２の上面に到達し、当該上面を転動して排出通路１０３へと案内される。したがって、ベース板２における一般入賞口１１の位置が変更されても、落下防止壁１０８の高さの範囲内においてはベース板２のみを設計変更すればよく、スペーサ１０を改めて設計する必要がない。これにより、ベース板２に形成された一般入賞口１１の位置が変更されてもスペーサ１０を共用化することが可能になり、製造コストの上昇を抑制することができる。
【００６９】
また、排出通路１０３に、一般入賞口１１へ入賞した遊技球を検出する入賞口検出スイッチ１０４を備えているので、一般入賞口１１の位置を変更しても入賞口検出スイッチ１０４の配置を変更することが不要となるので、製造コストの上昇を抑制することができる。
【００７０】
なお、以上の説明においては、本発明を一般入賞口に適用した場合について説明したが、本発明は一般入賞口に限定されるものではなく、始動口、大入賞口、普通電動役物の入賞口など、種々の入賞口に適用が可能である。
【産業上の利用可能性】
【００７１】
以上の説明においては、本発明をパチンコ遊技機本体が遊技台に取り付けられた遊技機に適用した場合が説明されているが、本発明はこれに限定されるものではなく、パチスロ機、雀球、スマートボールあるいはゲームセンターに設置された各種ゲーム機など、種々の遊技機に適用することが可能である。
【図面の簡単な説明】
【００７２】
【図１】本発明の一実施の形態に係る遊技機を示す斜視図である。
【図２】図１に示した遊技機の分解斜視図である。
【図３】ベース板の背面側にスペーサが配設された遊技盤を示す斜視図である。
【図４】ベース板の背面側にスペーサが配設された遊技盤を示す正面図である。
【図５】図３に示す遊技盤において電動役物構成部材を取り除いた状態を示す説明図である。
【図６】図４に示す遊技盤において電動役物構成部材を取り除いた状態を示す説明図である。
【図７】図４に示す遊技盤を背面側から見た説明図である。
【図８】本実施の形態に係るスペーサを示す斜視図である。
【図９】図８に示すスペーサを背面側から見た説明図である。
【図１０】本実施の形態に係る装飾ユニットを示す斜視図である。
【図１１】本実施の形態に係るスペーサの構成要素であるカバー体を示す斜視図である。
【図１２】図１１のカバー体の右部を拡大して示す斜視図である。
【図１３】図１２のカバー体をスペーサ本体に取り付けた状態を示す斜視図である。
【図１４】図１３のスペーサ本体に右装飾カバーを取り付けた状態を示す斜視図である。
【図１５】図１１のカバー体の左部を拡大して示す斜視図である。
【図１６】図１５のカバー体をスペーサ本体に取り付けた状態を示す斜視図である。
【図１７】図１６のスペーサ本体に左装飾カバーを取り付けた状態を示す斜視図である。
【図１８】ベース板とスペーサとが取り付けられた状態において落下防止壁を省略して示す右側背面斜視図である。
【図１９】ベース板とスペーサとが取り付けられた状態において落下防止壁を省略して示す左側背面斜視図である。
【図２０】図４のＡ−Ａ線に沿った要部断面図である。
【図２１】図４のＢ−Ｂ線に沿った要部断面図である。
【符号の説明】
【００７３】
１  パチンコ遊技機（遊技機）
２  ベース板
２ａ  遊技領域
３  遊技機本体
１０  スペーサ
１１  一般入賞口
２５  誘導通路
２７  入賞球落下空間
１００  カバー体
１０１  基板取付部
１０２  入賞球案内部
１０３  排出通路
１０３ａ  段差部
１０４  入賞口検出スイッチ
１０５  排出通路
１０６  ガイド片
１０７  進入阻止部
１０８  落下防止壁
２００  スペーサ本体
２００ａ  区画壁
２０１  右装飾カバー
２０２  左装飾カバー
２０８，２０９  ネジ穴
【図１】
2008006027.tif 000003
【図２】
2008006027.tif 000004
【図３】
2008006027.tif 000005
【図４】
2008006027.tif 000006
【図５】
2008006027.tif 000007
【図６】
2008006027.tif 000008
【図７】
2008006027.tif 000009
【図８】
2008006027.tif 000010
【図９】
2008006027.tif 000011
【図１０】
2008006027.tif 000012
【図１１】
2008006027.tif 000013
【図１２】
2008006027.tif 000014
【図１３】
2008006027.tif 000015
【図１４】
2008006027.tif 000016
【図１５】
2008006027.tif 000017
【図１６】
2008006027.tif 000018
【図１７】
2008006027.tif 000019
【図１８】
2008006027.tif 000020
【図１９】
2008006027.tif 000021
【図２０】
2008006027.tif 000022
【図２１】
2008006027.tif 000023